(57)【要約】  本願の開示は、主コンパートメントを規定するキャビネットを有するテレコミュニケーション分配ハブに関する。キャビネットはまた、主コンパートメントにアクセスするための１つ以上の主ドアを含む。テレコミュニケーション装置は、主コンパートメントの内に搭載される。分配ハブは、主コンパートメントにアクセスすることなくキャビネットの外部からアクセスすることができる補助コンパートメントを更に含む。接地インターフェースは、補助コンパートメント内からアクセス可能である。
2009527006.tif 000002
【特許請求の範囲】
【請求項１】
主コンパートメントを規定するキャビネットであって、前記キャビネットはまた、前記主コンパートメントにアクセスするための１つ以上の主ドアを含んでいる、キャビネットと、
前記主コンパートメント内に搭載されたテレコミュニケーション装置と、
前記主コンパートメントにアクセスすることのなくキャビネットの外部からアクセスすることができる補助コンパートメントと、
前記主コンパートメントからアクセス可能な第１端部と前記補助コンパートメントからアクセス可能な第２端部を有する複数のケーブル接地端子であって、前記第１端部が、キャビネットに配線されるシールド・ケーブルのシールドに電気的に接続するのに適している、複数のケーブル接地端子と、
電気的にキャビネットに接続したキャビネット接地端子であって、前記キャビネット接地端子が電気的にグランドに接続するのに適している、キャビネット接地端子と、
ケーブル接地端子をキャビネット接地端子に電気的に接続するバスと、
を備える、テレコミュニケーション分配ハブ。
【請求項２】
開口部を有する金属バス・プレートを備えるテレコミュニケーション分配ハブであって、前記開口部を通って前記ケーブル接地端子が伸び、前記キャビネット接地端子が電気的に前記開口部に接続する、請求項１に記載のテレコミュニケーション分配ハブ。
【請求項３】
前記ケーブル接地端子および前記金属バス・プレートの間に位置する１つ以上の誘電性絶縁体を更に備える、請求項２に記載のテレコミュニケーション分配ハブ。
【請求項４】
前記１つ以上の誘電性絶縁体が、ケーブル接地端子が通る複数のブッシングを含み、前記ブッシングが金属バス・プレートの開口部の内に位置する、請求項３に記載のテレコミュニケーション分配ハブ。
【請求項５】
前記ケーブル接地端子に搭載されるプレート接触部材を更に備えるテレコミュニケーション分配ハブであって、
前記プレート接触部材が、電気的にケーブル接地端子を金属バス・プレートに接続するように、プレート接触部材が金属バス・プレートと接触する第１の位置と、プレート接触部材が金属バス・プレートおよびケーブル接地端子と接触せず、金属バス・プレートから電気的に絶縁される第２の位置との間で移動可能である、
請求項３に記載のテレコミュニケーション分配ハブ。
【請求項６】
前記ケーブル接地端子が、プレート接触部材が第２の位置にあるときには、キャビネットおよびケーブル接地端子から電気的に絶縁されている、請求項５に記載のテレコミュニケーション分配ハブ。
【請求項７】
ケーブル接地端子の選択された１つを、選択されたケーブル接地端子のプレート接触部材を第２のポジションに移動することによって、他のケーブル接地端子から電気的に絶縁することができる、請求項５に記載のテレコミュニケーション分配ハブ。
【請求項８】
前記プレート接触部材がナットを含み、前記ケーブル接地端子がねじポストを含む、請求項５に記載のテレコミュニケーション分配ハブ。
【請求項９】
前記ケーブル接地端子は、補助コンパートメントから互いに絶縁することができる、請求項１に記載のテレコミュニケーション分配ハブ。
【請求項１０】
前記ケーブル接地端子は、補助コンパートメントとグランドから切り離すことができる、請求項１に記載のテレコミュニケーション分配ハブ。
【請求項１１】
主コンパートメントを規定するキャビネットであって、前記キャビネットはまた、前記主コンパートメントにアクセスするための１つ以上の主ドアを含んでいる、キャビネットと、
前記主コンパートメント内に搭載されたテレコミュニケーション装置と、
前記主コンパートメントにアクセスすることのなくキャビネットの外部からアクセスすることができる補助コンパートメントと、
前記補助コンパートメント内からアクセス可能な接地インターフェースと、
を備える、テレコミュニケーション分配ハブ。
【請求項１２】
前記接地インターフェースが、ケーブル接地端子と、互いからケーブル接地端子を選択的に絶縁するための手段とを含む、請求項１１に記載のテレコミュニケーション分配ハブ。
【請求項１３】
前記接地インターフェースが、ケーブル接地端子と、グランドからケーブル接地端子を選択的に切り離すための手段とを含む、請求項１１に記載のテレコミュニケーション分配ハブ。
【請求項１４】
前記補助コンパートメントを開閉するための、キャビネットの外部に配置される補助ドアを更に備える、請求項１１に記載のテレコミュニケーション分配ハブ。
【請求項１５】
前記テレコミュニケーション装置が、複数のコネクタ化されたスプリッタ・ピグテールが伸びるスプリッタと、コネクタ化されたスプリッタ・ピグテールを挿入することができる複数の終端アダプタとを含む、請求項１１に記載のテレコミュニケーション分配ハブ。
【請求項１６】
前記接地インターフェースが、バス・プレートと、バス・プレートから突き出ている複数のポストとを備え、前記ポストはバス・プレートに電気的に接続しており、前記バス・プレートは、グランドに電気的に接続している、請求項１１に記載のテレコミュニケーション分配ハブ。
【請求項１７】
前記接地インターフェースが、補助コンパートメントに伸びる電気ワイヤを更に備え、各電気ワイヤが、電気ワイヤに接地するようにバス・プレートから突き出ているポストの１つに係合する電気的接点を有する、請求項１６に記載のテレコミュニケーション分配ハブ。
【請求項１８】
前記接地インターフェースが、ポストへの電気的接点を確実にするように、ポストに搭載された第１の複数のナットを更に備える、請求項１７に記載のテレコミュニケーション分配ハブ。
【請求項１９】
前記電気ワイヤの１つを、それぞれのポストからワイヤの電気的接点を取り除くことによってグランドから切り離すことができる、請求項１７に記載のテレコミュニケーション分配ハブ。
【請求項２０】
前記補助コンパートメントを囲む発泡状支持構造物によって、電気ワイヤが補助コンパートメントに導かれる、請求項１７に記載のテレコミュニケーション分配ハブ。
【発明の詳細な説明】
【技術分野】
【０００１】
本発明は、光ファイバネットワークにおけるファイバ分配ハブに関する。
【０００２】
［関連出願］この出願は、２００６年３月に出願された米国仮出願第６０/７８３,８１８号の利益を主張する。この出願はまた、２００６年２月に出願された、米国特許出願号第１１/３５４,２８６号の継続出願である。これらの出願は、内容全体が引用により本明細書に組み込まれる。
【背景技術】
【０００３】
受動的光ネットワークが、普及してきている。１つには、サービス・プロバイダが、顧客に高帯域通信能力を提供したいというという理由がある。受動的光ネットワークは、高速データ通信を提供するためには望ましい選択である。なぜなら、センターと加入者終端との間で、アンプやリピータといった能動的電子デバイスを使用しないからである。能動的電子デバイスを使用しないことで、ネットワークの複雑さやコストを低減し、ネットワークの信頼性を向上させることができる。図１は、受動的光ファイバ・ラインを用いたネットワーク１００を図示する。図に示すように、ネットワーク１００は、ネットワークの多数の末端加入者１０５（本願明細書では、エンドユーザ１０５とも呼ぶ）を接続する中央オフィス１０１を含むことができる。中央オフィス１０１は、加えて、インターネット（図示せず）や公衆交換電話回線網（ＰＳＴＮ）のような、より大きなネットワークに接続することができる。ネットワーク１００は、エンドユーザ１０５の構内につながる多数の個別のファイバを生成する１つ以上の光スプリッタ（例えば、１対８のスプリッタ、１対１６のスプリッタ、あるいは１対３２のスプリッタ）を有するファイバ分配ハブ（ＦＤＨ）もまた含むことができる。ネットワーク１００のさまざまなラインは、空中線であったり、地下の導管に収納されたりする。
【０００４】
ネットワーク１００の、中央オフィス１０１に最も近い部分は、一般に、Ｆ１領域と呼ばれる。Ｆ１は、中央オフィス１０１からの「引き込みファイバ（ｆｅｅｄｅｒ  ｆｉｂｅｒ）」である。ネットワーク１００の、エンドユーザ１０５に最も近い部分は、ネットワーク１００のＦ２部分と言うことができる。ネットワーク１００は、分岐ケーブルが主ケーブル線から分かれる、複数のプレークアウト位置１０２を有する。分岐ケーブルは、分岐ケーブルのファイバを複数の異なる加入者位置１０５へ結合するのを容易にするコネクタ・インタフェースを有するドロップ端子１０４に、しばしば接続される。ＦＤＨ１０３で使用されるスプリッタは、多数のファイバ、例えば、エンドユーザのロケーション数のような数に関連した２１６本ないし４３２本の個別分配ファイバを含むフィーダ・ケーブルＦ１を収容できる。典型的アプリケーションにおいて、光スプリッタは光スプリッタ・モジュール・ハウジングに組み込まれ、モジュールから伸びるピグテールのスプリッタ出力と一緒に提供される。スプリッタ出力ピグテールは、典型的には、コネクタ化され、例えばＳＣ、ＬＣまたはＬＸ．５コネクタと接続される。光スプリッタ・モジュールは、ハウジングの中に、光スプリッタ部品を保護するようにパッケージされ、それにより、壊れやすいスプリッタ部品の取扱いが容易になる。このモジュール化のアプローチにより、光スプリッタ・モジュールを必要に応じて逐次追加することが可能である。
【０００５】
Ｆ１およびＦ２ケーブルが地下で配線されることは、一般的である。地下ケーブルが埋設される領域において、地下工事や他の作業が行われることになっているときに、工事が行われる前に、埋設ケーブルの位置を指定することが必要である。シールド・ケーブルないし外装ケーブルの場合には、フィールド技術者は、電線の金属シールドを通して、ロケータ信号（例えばＲＦシグナル）を送って、上記のグランド・センサ（例えば、ＲＦ検出回路）を使用して、ケーブルに沿ってシグナルを検出し、それによってケーブルの位置を同定することができる。ケーブルが検出されると、技術者は、下にあるケーブルの位置を識別するために、地表にスプレー・ペイント・ラインを引くことができる。地表をマークすることによって、地下での作業の間に、ケーブルが、壊れたり、損傷したりする可能性が減少する。シールド・ケーブルないし外装ケーブルの場合には、ケーブルは安全のために好ましくは接地される。典型的構成において、グランド・ピンを有するグランド・プレートは、ファイバ分配ハブ・キャビネットの内部に供給される。Ｆ１およびＦ２ケーブルのシールドは、電線によって接地板のピンに電気的に接続している。ピンの１つは、グランド（例えば、金属棒、ポストまたはグランドに押し込まれる他の部材）に電気的に接続している。この種のハブ装置において、Ｆ１およびＦ２ラインをマークするフィールド技術者のために、フィールド技術者がキャビネットの内部にアクセスすることが必要である。キャビネットが開けば、技術者はグランドからの対象のケーブルを切り離すことができて、ケーブルのシールドを通してロケータ信号を送ることができる。ケーブルの位置がマークされたあとは、ケーブルのシールドはグランドに再接続している。
【０００６】
地下ケーブルをマークすることに対して責任があるフィールド技術者は、ファイバ分配ハブを所有し運用するサービス・プロバイダにあまり雇用されない。さらに、ケーブルをマークすることに対して責任があるフィールド技術者は、ファイバ分配ハブの中に収容されている典型的なテレコミュニケーション装置に関して、通常、訓練されていない。したがって、フィールド技術者がファイバ分配ハブの内部にアクセスすることは、望ましくなくないことがありえる。さらに、ファイバ分配ハブの中のケーブル接続および他のコンポーネントは、しばしば接地板へのアクセスを妨害する可能性があり、また、接地板を見つけるのが困難にすることがある。したがって、フィールド技術者が、ファイバ分配ハブの主キャビネットを開かなくても、接地板にアクセスすることができる構成を有するファイバ分配ハブにすることが望ましい。
【０００７】
【特許文献１】米国特許出願第１０／９８０９７８号
【特許文献２】米国特許出願第１１／１３８０６３号
【特許文献３】米国特許出願第１１／２１５８３７号
【特許文献４】米国特許出願第１１／３２１６９６号
【特許文献５】米国特許出願第１０／６１０３２５号
【特許文献６】米国特許出願第１０／６１３７６４号
【特許文献７】米国特許出願第１０／８７１５５５号
【特許文献８】米国特許出願第１１／０９５０３３号
【特許文献９】米国特許第５，４９７，４４４号
【特許文献１０】米国特許第５，７１７，８１０号
【特許文献１１】米国特許第５，７５８，００３号
【特許文献１２】米国特許第６，５９１，０５１号
【発明の開示】
【０００８】
本発明のある態様は、光ファイバ・ケーブルシステムに関する。
【０００９】
実施形態のシステムにおいて、ファイバ分配システムは、センターと加入者との間のインターフェースを提供する１つ以上のファイバ分配ハブ（ＦＤＨ）を含む。
【００１０】
本開示のある態様は、ケーブル配線構成に関する。
【００１１】
本開示の他の態様は、加入者端末部品モジュールとスプリッタ・モジュールの使用による、アクセス強化とスケーラビリティ向上に関する。
【００１２】
追加的な本開示のある態様は、フィールド技術者が、ファイバ分配ハブの主キャビネットの内部に手を入れないで、迅速かつ容易にファイバ分配ハブの接地終端にアクセスすることができるようにするファイバ分配ハブ構成に関する。ある実施形態において、ファイバ分配ハブのキャビネットは、接地終端がアクセスされることができる補助的なポケットまたはコンパートメントを備えている。ある実施形態において、配置することを要求され選択された地下ケーブルに対応した接地ピンは、接地ピンに搭載されるナットを数回まわすだけで、グランドから切り離される。
【００１３】
発明の種々の追加的な態様は、以下の記載によって与えられる。この発明の側面は、発明の個々の特徴、あるいは特徴の組み合わせに関する。上述の一般的な記載および以下の詳細な記載のいずれも、典型例、説明的なものにすぎないことを理解するべきである。それらは、ここに開示される実施形態が依拠している広範な発明概念を制限するものではない。
【発明を実施するための最良の形態】
【００１４】
図２〜７を参照して、本願に開示した発明によるファイバ分配ハブ（ＦＤＨ）の実施形態を示す。ＦＤＨ２００は、内部部品を収納するキャビネット２０１を含む。キャビネット２０１は開口部を有し、その開口部を通してフィーダ・ケーブル（例えば、Ｆ１ケーブル）７００および加入者ケーブル７０８が、キャビネット２０１（図２Ｃを参照）に出入りする。スイング・フレーム３００は、キャビネット２０１の内部に、回動自在にヒンジ３５５において取り付けられる。スイング・フレーム３００は、スイング・フレーム３００を前部分３０２（図４を参照）と後部分３０４（図２Ｃを参照）とに分ける隔壁３０１を含む。隔壁３０１は、終端領域３１１およびストレッジ領域３１３を有するメイン・パネル３１０を含む。一般に、少なくとも１つの終端モジュール４００（図１２Ａおよび図１２Ｂを参照）は終端領域３１１において提供され、少なくとも１つのストレッジ・モジュール６００（図９を参照）は、ストレッジ領域３１３において提供される。いくつかの実施形態では、隔壁３０１は、メイン・パネル３１０に隣接して配置された第２のパネル３１５をも含み、ケーブル管理のために構成される。１つ以上のフィーダ・ケーブル・インタフェース８００は、スイング・フレーム３００の後部分に配置することができる。１つ以上のスプリッタ・モジュール５００を収納する少なくとも１つのスプリッタ・モジュール・ハウジング３２２は、スイング・フレーム３００の上に配置される。
【００１５】
図３は、ＦＤＨ２００のケーブル配線案の例を示す概略図である。ＦＤＨ２００は、屋外プラント（ＯＳＰ）環境において、入力ファイバと出力ファイバとの間の終端パネルにおける接続を一般に管理する。本願明細書においては、「接続」の用語は、ファイバ間の直接的および間接的な接続を含む意味で使われる。入力ファイバの例は、キャビネットに入るフィーダ・ケーブル・ファイバと、フィーダ・ケーブル・ファイバを終端パネルに結ぶ中間ファイバ（例えば、スプリッタから伸びるコネクタ化ピグテール、補修用ファイバないしジャンバー線など）とを含む。出力ファイバの例は、キャビネットを出る加入者ケーブル・ファイバと、加入者ケーブル・ファイバを終端パネルに接続するいかなる中間のファイバも含む。ＦＤＨ２００は、運用アクセスおよび再構成が望ましいネットワークにおける箇所において、光伝送信号のための相互接続インターフェースを提供する。例えば、上に述べたように、ＦＤＨ２００は、フィーダ・ケーブルを分割するために用いることができ、加入者位置に経路を設定された分配ケーブルに、スプリット・フィーダ・ケーブルを終端できる。加えて、ＦＤＨ２００は、収納できるサイズおよびファイバ数に幅があり、ピグテール、ファンアウト、スプリッタの工場インストールをサポートするように設計されている。
【００１６】
図３に示すように、フィーダ・ケーブル７００は、最初にキャビネット２０１（例えば、典型的には、図２Ｃで示すようにキャビネット２０１の背面または底面）を通してＦＤＨ２００に配線される。ある実施形態においては、フィーダ・ケーブル７００のファイバは、リボン・ファイバを含むことができる。フィーダ・ケーブル７００のある例では、サービス・プロバイダの中央オフィス１０１に接続された１２本ないし４８本の個々のファイバを含む。いくつかの実施形態では、キャビネット２０１に入った後に、フィーダ・ケーブル７００のファイバは、フィーダ・ケーブル・インタフェース８００（例えば、光ファイバ・アダプタ・モジュール、スプライス・トレイ等）に配線される。フィーダ・ケーブル・インタフェース８００において、１つ以上のフィーダ・ケーブル７００が、別々のスプリッタ入力ファイバ７０２に、個別に接続している。スプリッタ入力ファイバ７０２は、フィーダ・ケーブル・インタフェース８００から、スプリッタ・モジュール・ハウジング３２２まで配線される。スプリッタ・モジュール・ハウジング３２２において、スプリッタ入力ファイバ７０２は、別々のスプリッタ・モジュール５００に接続している。入力ファイバ７０２は、それぞれ、多数のピグテール７０４へ別れ、各々のピグテールが、コネクタ化端部７０６を有する。しかしながら、他の実施形態においては、フィーダ・ケーブル７００のファイバは、コネクタ化することができて、それによって、中間フィーダ・ケーブル・インタフェース８００の必要を回避または除去して、スプリッタ・モジュール５００に直接に配線することが可能である。
【００１７】
ピグテール７０４が稼動中でないときには、コネクタ化された端部７０６は、スイング・フレーム３００のストレッジ領域３１３に取り付けられたストレッジ・モジュール６００に一時的に格納することができる。ピグテール７０４のサービスが必要であるときには、ピグテール７０４は、スプリッタ・モジュール５００から、スイング・フレームの終端領域３１１で提供される終端モジュール４００に接続される。終端モジュール４００において、ピグテール７０４が分配ケーブル７０８のファイバに配線される。終端パネルは、入力ファイバと出力ファイバとの境界線である。典型的分配ケーブル７０８は、ネットワーク（図１を参照）のＦ２部分を形成し、典型的には、ＦＤＨ２００から加入者位置７０９まで配線する複数のファイバ（例えば１４４本、２１６本または４３２本のファイバ）を含む。
【００１８】
いくつかの実施形態では、フィーダ・ケーブル７００のファイバの１つ以上は、スプリッタ・モジュール５００のいずれにも接続されていない。むしろ、フィーダ・ケーブル７００のこれらのファイバは、コネクタ化した端部７１４を有するパススルー・ファイバ７１２に接続している。スプリッタ・モジュール５００に最初に接続せずに、パススルー・ファイバ７１２は、終端モジュール４００に接続している。ファイバ７１２を分割することを控えることによって、より強い信号が、加入者の１人に送られるようにすることが可能である。パススルー・ファイバ７１２のコネクタ化された端部７１４は、使用されないときにはストレッジ領域３１３に格納することができる。
【００１９】
図２Ａ−２Ｃを再度参照する。ＦＤＨ２００のキャビネット２０１は、上部パネル２０２、底部パネル２０３、右側面パネル２０４、左側面パネル２０６、背面パネル２０５および少なくとも１つの前部ドアを含む。いくつかの実施形態では、少なくとも１つの前部ドアは、右側ドア２１０および左側ドア２１２を含む。ある実施形態において、前部ドア２１０、２１２はロック２１１を含む。少なくとも１つの前部ドアはヒンジ２１４を用いているキャビネット２０１に回動自在に搭載され、キャビネット２０１の内部に取り付けられる部品へのアクセスを容易にする。
【００２０】
一般に、ＦＤＨ２００のキャビネット２０１は、風雨、埃、ネズミなどげっ歯類や、ほかの汚染物質から内部の部品を保護するように構成される。しかしながら、キャビネット２０１は、据付容易のために比較的軽量で、装置内の水分の蓄積を防止するために空気が通るようになっている。いくつかの実施形態では、ヘビーパウダーのコーティング仕上げをしたアルミニウム構造もまた腐食耐性を与える。１つの実施形態においては、キャビネット２０１はヘビーゲージ・アルミニウムから製造されて、ＮＥＭＡ−４Ｘレートである。しかしながら、他の実施形態においては、他の材料も用いることが可能である。
【００２１】
実施形態に従った、ＦＤＨ２００が、ポール・マウントまたは台マウント構成で、提供される。例えば、図２に示すように、キャビネット２０１を所望の場所に配備するのを容易にするために、ループ２１８をキャビネット２０１につけることができる。ループ２１８を、クレーンを使用しているキャビネットを配置するために用いることができる。特に、クレーンは地下の場所までキャビネット２０１を降ろすことができる。いくつかの実施形態では、ループ２１８は着脱可能であるか、または、表面のキャビネット・パネル２０２から、突き出ないように調整できる。
【００２２】
また図２Ｂ−２Ｃに示すように、ＦＤＨ２００のスイング・フレーム３００は、上部パネル３２０（底部パネル３３０）右側面パネル３４０、および左側３４１を含む。ヒンジ取付片３５０は、スイング・フレーム３００の左側３４１に置かれる。図４で表されるように、隔壁３０１は、メイン・パネル３１０をヒンジ取付片３５０に接続する接続パネル３１９を更に含む。図４に最もよく示されているように、第２のパネル３１５の部分３２５は、スイング・フレーム３００の上部パネル３２０を通って上方へ伸びている。隔壁３０１は上部および底部パネル３２０、３３０の間で垂直に広がり、右側面パネル３４０および左側３４１との間で横に広がっている。
【００２３】
いくつかの実施形態では、スイング・フレーム３００のヒンジ取付片３５０は、１つ以上のヒンジ３５５を使用している、ＦＤＨ２００のキャビネット２０１に取り付けられる。ヒンジ３５５は、終端モジュール４００、ストレッジ・モジュール６００、フィーダ・ケーブル・インタフェース装置８００およびスプリッタ・モジュール５００を含めて、スイング・フレーム３００の全部がキャビネット２０１の前部ドア２１０、２１２からスイングして出ることを可能にし、清掃、テスト、保守、追加などのためのスイング・フレーム３００の後部分３０４にある光学部品へのアクセスを可能とする。キャビネット２０１からスイング・フレーム３００を軸回転させて出すことは、スイング・フレーム３００の右側面パネル３４０をキャビネット２０１の内部から引き出すことになる。いくつかの実施形態において、スイング・フレーム３００は、キャビネット２０１からの９０度以上軸回転できる。
【００２４】
いくつかの実施形態では、スイング・フレーム３００のヒンジ３５５は、スイング・フレーム３００に配線されるファイバ・ケーブルが屈曲する単一の点を与えるために配置される。このヒンジ点は、ファイバの屈曲をコントロールするために設けられる。特に、ヒンジ３５５およびケーブル管理装置は、スイング・フレーム３００が開閉されるときに、製造上推奨される屈曲半径が維持されることを確実にするように設計されている。ケーブル管理装置については後で詳細に述べる。１つの実施形態において、キャビネット２０１は、ヒンジ３５５付近のケーブル束にカバーをするために、工場またはプラントで組み立てることができる。キャビネット２０１を予め組み立てておくことは、配線が誤ってされるという可能性を減らすことができる。
【００２５】
スイング・フレーム３００が開いた位置にあるとき、図２Ｃに示すように、スイング・フレーム３００の後部分３０４の部品にアクセスすることができる。例えば、メイン・パネル３１０の後ろ側および第２のパネル３１５の後ろ側へのアクセスが容易である。加えて、スイング・フレーム３００がキャビネット２０１からスイングして出たときに、スプリッタ・モジュール・ハウジング３２２（図４を参照）にあるスプリッタ・モジュール５００は、スイング・フレーム３００の上部開口を通してアクセスすることができる。対照的に、スイング・フレーム３００が閉じた位置（図２Ｂを参照）にあるときには、スイング・フレーム３００の前部分３０２にある部品のみが容易にアクセスできる状態である。
【００２６】
例示した実施形態において、スイング・フレーム３００は、ＦＤＨ２００のキャビネット２０１内で、スイング・フレーム３００を閉鎖位置にロックする解放ラッチ（図示せず）を含む。ラッチが作動すると、スイング・フレーム３００は、キャビネット２０１から軸回転して出ることができる。加えて、軸回転するロッキング部材（図示せず）は、スイング・フレーム３００を開いた位置に保つために、スイング・フレーム３００の後ろ側３０４に取り付けることが可能である。
【００２７】
図４〜５を参照する。スイング・フレーム３００のストレッジ領域３１３は、終端領域３１１の下に位置する。しかしながら、他の実施形態においては、ストレッジ領域３１３が、終端領域３１１より上にまたは隣接することができる。一般に、終端領域３１１は終端モジュール４００からのアダプタ４５０（図１３Ａ、図１３Ｂ参照）が伸びる少なくとも１つの矩形開口部３１２を規定する。終端モジュール４００は、本願明細書において、更に詳細に記載されている。図４に図示した実施形態において、終端領域３１１は、開口部３１２の２つの列を含み、各列は、１２の長形スロットを含んでいる。ストリップ片３０９は、各列の開口部３１２を切り離しており、表面に粘着ラベルで、コネクタ指定等の情報を表示できる。ストレッジ領域３１３も、ストレッジ・モジュール６００（図９を参照）が取り付けられる１つ以上の開口部３１４を規定する。ストレッジ・モジュール６００は、本願明細書において、更に詳細に記載されている。
【００２８】
隔壁３０１は、底部パネル３３０を前部分３３１（図４を参照）と後部分３３６（図２Ｃおよび１４を参照）との２つに分ける。一般に、底部パネル３３０の前部分３３１は、隔壁３０１から前方へ突出する。いくつかの実施形態では、前部分３３１は更に第１の前部分３３２および第２の前部分３３４に分けられる。各前部分３３２、３３４は、それぞれ、フランジ３３３、３３５を含み、底部パネル３３０から実質的に垂直に突き出ている。底部パネル３３０の前部分３３１は、それによって、ストレッジ領域３１３から、または第２のパネル３１５から、ゆるんだ、あるいは、余分なファイバを保持するように構成されるトラフを形成する。第１の前部分３３２のエッジ３３７は、スイング・フレーム３００がトラフと干渉することなく、軸回転して開くことができるように、角度がついている。
【００２９】
図４、図６に最もよく示されているように、隔壁は、側面パネル３４０を前部フランジ３４２と後部フランジ３４４のそれぞれに分ける。前部フランジ３４２は第２のパネル３１５から前方へ伸び、後部フランジ３４４は第２のパネル３１５から後方に伸びる。後部フランジ３４４は、底部パネル３３０から、上部パネル３２０から伸びている屈曲リミッタ９６２まで伸びる。前部フランジ３４２は、第２のパネル３１５の突き出ている部分３２５に、上部パネル３２０を過ぎて底部パネル３３０から伸びる。いくつかの実施形態では、前部フランジ３４２は、後部フランジ３４４に実質的に平行な前方の部分３４４と、第２のパネル３１５の突き出ている部分３２５と前方の部分３４４の間で伸びる曲げられた部分３４３と、を含む。
【００３０】
図７に最もよく示されているように、スイング・フレーム３００の上部パネル３２０は実質的に矩形である。上部パネル３２０は、前部エッジ３２６、後部エッジ３２７を含む。フランジ３２３、３２４（図４を参照）は、それぞれ、エッジ３２６、３２７から上方へ突き出る。上部パネル３２０も、側面３４１に隣接した第１端部３２８と、側面パネル３４０に隣接する第２の、反対側の端部とを有する。屈曲半径リミッタ９４０は、第１端部３２８から上方へ伸びる。いくつかの実施形態では、上部パネル３２０の端部３２９の一部分が、側面パネル３４０の前部フランジ３４２を有するチャネルＢの幅を規定する。チャネルＢを規定する端部３２９の部分は、チャネルＢのところで終わっている。チャネルＢの深さは、第２のパネル３１５から底部パネル３３０の第２の前部分３３のフランジ３３５まで伸びる。ＦＤＨ２００のスプリッタ・モジュール・ハウジング３２２は、第１端部３２８に隣接して上部パネル３２０上に配置される。スプリッタ・モジュール・ハウジング３２２は、ＦＤＨ２００のスプリッタ・モジュール５００を保護して、組織化して、固定するのに役立つ。
【００３１】
スプリッタ・モジュール・ハウジング３２２は、スプリッタ・モジュール５００の数がいろいろであっても収納するように、さまざまなサイズのものを設けることができる。スプリッタ・モジュール・ハウジング３２２は、一般に矩形であり、１つ以上の光スプリッタ・モジュール５００を収納するような大きさの開放空間内に、１つ以上の収納場所を規定する。スプリッタ・モジュール５００を収納するために、スプリッタ・モジュール・ハウジング３２２は、スプリッタ・モジュール５００を支持し固定するような構造を持っている。実施形態において、スプリッタ・モジュール５００は、スプリッタ・モジュール・ハウジング３２２にはめ込むように設計されている。ある実施形態において、スプリッタ・モジュール５００は、スプリッタ・モジュール・ハウジング３２２に、前部から後部へと入れられる（すなわち、側面３２９から、側面３２８の方向に）。モジュール・ハウジング３２２は更に、スプリッタ・モジュール５００が、例えば図３のファイバ７０２のように、スプリッタ・モジュール５００の１つを端部上で入力ファイバを受け入れ、スプリッタ５００の対向する端部から、例えば図３のピグテール７０４のように、多数のファイバを出力することを可能にするように構成される。
【００３２】
図８Ａ−８Ｃを、ここで参照する。スプリッタ・モジュール・ハウジング３２２に取り付けることが可能である１つのタイプのスプリッタ・モジュール５００は、一体型コネクタを有するスプリッタである。図８Ａは、この種のスプリッタ・モジュール５００の左側面図である。スプリッタ・モジュール５００は、前方に突き出ている少なくとも１つの保護ブーツ５１０および後方に突き出ている少なくとも１つの一体型コネクタ５２０を有するハウジング５０５を含む。図示した実施形態において、２つのブーツ５１０は、前部から突き出て、２つの一体型コネクタ５２０は後方にスプリッタハウジング５０５から突き出ている。１つの実施形態（図示せず）において、各スプリッタは、４つの一体型コネクタ５２０を備えている。いくつかの実施形態では、ハンドル５４０もスプリッタハウジング５０５の前端部から突き出る。図８Ｂは、スプリッタ・モジュール５００の内部部品を示している図８Ａのスプリッタ・モジュール５００の分解図である。
【００３３】
図８Ｃは、スプリッタ・モジュール・ハウジング３２２に嵌入される図７Aのスプリッタ・モジュール５００の横断面を示す。アダプタ・アセンブリ５３０は、ファスナー５３６を使用してスプリッタ・モジュール・ハウジング３２２に固定する。実施形態において、アダプタ・アセンブリ５３０は、スプリッタ・モジュール・ハウジング３２２の後方に搭載される。スプリッタ・モジュール５００がスプリッタ・モジュール・ハウジング３２２に挿入されるときに、アダプタ・アセンブリ５３０はスプリッタ・モジュール５００のコネクタ５２０を受け入れるように構成される。上に示すように、アダプタ・アセンブリ５３０は、更にフィーダ・ケーブル７００と関連する対向するコネクタを受け入れるように構成される。いくつかの実施形態では、アダプタ・アセンブリ５３０は、スプリッタ入力ファイバ７０２を終端しているコネクタ７０３を受け入れる。他の実施形態では、アダプタ・アセンブリ５３０は、フィーダ・ケーブル７００を終端しているコネクタ７０１を受け入れる。このようにして、フィーダ・ケーブル・ファイバ７００は、容易に、スプリッタ・モジュール５００に連結できる。
【００３４】
他の実施形態では、スプリッタ・モジュール５００は、一体型コネクタ５２０を含まない。このような実施形態では、アダプタ・アセンブリ５３０は、スプリッタ・モジュール・ハウジング３２２に搭載されず、フィーダ・ケーブル７００は直接スプリッタ・モジュール５００に差し込むことができない。むしろ、入力ピグテール（図示せず）が、スプリッタハウジング５０５を通って、スプリッタ・モジュール５００に入る。入力ピグテールの対向する端部は、コネクタ化していても良いし、していなくても良い。端部７０１がコネクタ（図示せず）に終端する場合には、入力ファイバ７０２は、アダプタ・モジュール８１０（図１８を参照）を使用しているフィーダ・ケーブル７００とインターフェースする。端部７０１がコネクタ化していない場合には、入力ファイバ７０２は、スプライス・トレイ８０８（図１９を参照）を使用して、フィーダ・ケーブル７００をケーブルでつなぎ合わせる。
【００３５】
典型的には、各スプリッタ・モジュール５００は、１から４の入力ファイバを受け入れ、各入力ファイバに対して、２から１６のファイバ７０４を出力する。１つの実施形態において、４つの入力ファイバ７０２が、スプリッタ・モジュール５００に入り、３２のピグテールファイバ７０４がスプリッタ・モジュール５００を出る。スプリッタ・モジュール５００についてのさらなる情報は、２００６年２月１３日に出願され、「光ファイバ・スプリッタ・モジュール（Fiber Optic Splitter Module）」と題された、米国特許出願第１１/３５４,２９７号から得られる。この出願は、引用により本明細書に組み込まれる。他のタイプのスプリッタ・モジュールについての追加的情報は、２００４年１１月３日に出願された、「後部コネクタを備える光ファイバモジュールおよびシステム（Fiber Optic Module And System Including Rear Connectors）」と題する米国特許出願第１０／９８０，９７８号、２００５年８月２９日に出願された「コネクタアクセスを有する光ファイバ・スプリッタ・モジュール（Fiber Optic Splitter Module）」と題する米国出願第１１／１３８０６３号、２００５年５月２５日に出願された、「光ファイバ・スプリッタ・モジュール（Fiber Optic Splitter Module With Connector Access）」と題する、米国特許出願第１１／２１５８３７号、２００５年１２月に出願され、「ファイバ分配ハブのためのスプリッタ・モジュール（Splitter Modules For Fiber Distribution Hubs）」と題された、米国特許出願第１１/３２１６９６号、から得られる。これらの開示内容は、引用により本願明細書に組み入れられる。
【００３６】
図９〜１０を、ここで参照する。スプリッタ・モジュール５００およびストレッジ・モジュール６００は、逐次、スイング・フレーム３００に追加することが可能である。図９は、スプリッタ・モジュール５００が、スプリッタ・モジュール５００上の保護ブーツ５１０から出ている多数のコネクタ化されたピグテール７０４を有することを図示する。コネクタ化されたピグテール７０４が、典型的には、スイング・フレーム３００に取付けられる前に、１つ以上のストレッジ・モジュール６００に格納される。いくつかの実施形態では、スプリッタ・モジュール５００が出荷される前に、各ピグテール７０４のコネクタ７０６は、ストレッジ・モジュール６００に固定される。典型的には、各スプリッタ・モジュール５００のコネクタ化されたピグテール７０４は、それぞれ８つのコネクタ持つ４つのストレッジ・モジュール６００に配線される。
【００３７】
ストレッジ・モジュール６００は、前側６０２および後ろ側６０４を有する本体６１０を含む。本体６１０は、少なくとも１つのファイバ・コネクタ７０６を持つように構成される。典型的には、本体６１０は、約８つのコネクタ７０６を持つように構成される。いくつかの実施形態では、本体６１０は、単一の列構成のファイバ・コネクタ７０６を保持するように配置される。他の実施形態では、本体６１０は、コネクタ７０６を、正方形のパターンのまたは他の所望の構成で持つようにすることができる。ストレッジ・モジュール６００についてのさらなる情報は、２００３年６月３０日に出願された、「光ファイバ・コネクタ・ホルダおよび方式（Fiber Optic Connector Holder and Method）」と題する、米国特許出願第１０／６１０，３２５号、２００３年７月２日に出願された、「テレコミュニケーション・コネクタ・キャビネット（Telecommunications Connection Cabinet）」と題する米国特許出願第１０／６１３，７６４号、および、２００４年１月１８に出願された、「多重位置光ファイバ・コネクタ・ホルダとその方式（Multi-position Fiber Optic Connector Holder and Method）」と題する、米国特許出願第１０/８７１,５５５号、から得られる。これらの出願は、引用により本明細書に組み込まれる。
【００３８】
いくつかの実施形態では、本体６１０は、メイン・パネル３１０のストレッジ領域３１３において規定された開口部３１４のうちの１つにはめ込まれるように設計される。開口部３１４は、メイン・パネル３１０のストレッジ領域３１３の中で、所望の構成に配列することができる。図１０に示される実施形態において、メイン・パネル３１０のストレッジ領域３１３は、矩形のパターンの９つの開口部３１４を規定する。各開口部３１４は、列になった８つのファイバ・コネクタ７０６を保持するために配置されたストレッジ・モジュール本体６１０を受け入れるように構成される。
【００３９】
図１０に示すように、スプリッタ・モジュール５００が取付けに際してスプリッタ・モジュール・ハウジング３２２に入れられるときに、対応するストレッジ・モジュール６００が、メイン・パネル３１０のストレッジ領域３１３に入れられる。分かりやすさのため、１つのピグテール７０４および１つのストレッジ・モジュール６００を有するスプリッタを１つだけ図示した。スプリッタ・モジュール５００からストレッジ・モジュール６００へ伸びるピグテール７０４は、保護ブーツ５１０から、上部パネル３２０を横切り、第２のパネル３１５の前側のチャネルＢを通って下方に向かい、スイング・フレーム３００の底部パネル３３０を横切って配線される。
【００４０】
この配線を達成するために、上部パネル３２０および第２パネル３１５は、ケーブル管理装置を備える。いくつかの実施形態では、上部パネル３２０上のケーブル管理装置は、スプリッタハウジング３２２および屈曲半径リミッタ９６２の間に位置する第１のスプール９５２と、屈曲リミッタ９４０および前部フランジ３４２の間に位置する第２のスプール９５４とを含む。スプリッタ５００から出力されるピグテール７０４は、最初に第１のスプール９５２周りで、次に第２のスプール９５４周りで巻きつけられる。
【００４１】
タブ９６５を有していて、上部パネル３２０から下方へ伸びている屈曲半径リミッタ９６４は、部分的にチャネルＢを規定する。第２のスプール９５４から、ピグテール７０４のいくつかは、屈曲リミッタに配線され、チャンネルＢに入るいくつかの実施形態では、部分的なファイバ・スプール９６６は、第２のパネル３１５の突き出ている部分３２５から伸びるように取り付けられ、ファイバをチャンネルＢに入れるように配線の方向をつける。過剰な重量やファイバ７０４のもつれを避けるために、ファイバ７０４のいくつかは、屈曲リミッタ９６４の代わりに、部分的なスプール９６６の上を通してチャネルＢの中に配線できる。余分なたるみは、また、屈曲リミッタ９６４の代わりにスプール９６６の上を通してピグテール７０４を配線することにより取ることができる。屈曲リミッタ９６８は、また、第２のパネル３１５の突き出ている部分３２５に搭載され、ファイバを部分的なスプール９６６まで配線するように方向付ける。
【００４２】
第２のパネル３１５の前部は、部分的なスプール９７０の少なくとも１つの列および半径リミッタ９８０の少なくとも１つの列を含む。１つの実施形態において、部分的なスプール９７０は、チャネルＢを下に配線されるファイバを、スプール９７０のうち１つの周りに少なくとも部分的に巻きつけることを可能にするような方向に置かれる。ファイバは、部分的なスプール９７０から、底部パネル３３０に沿ってストレッジ・モジュール６００へ、あるいは、リミッタ９８０を越えて、終端モジュール４００へと、進むことができる。リミッタ９８０は、部分的なスプール９７０から配線されるファイバが、過剰に曲げられることなく、終端モジュール４００に進むことを可能にするような方向に置かれる。
【００４３】
図１１を、ここで参照する。ストレッジ・モジュール６００に保持されるピグテール７０４は、加入者分配線７０８に接続しなければならないときに、対応するコネクタ７０６はストレッジ・モジュール６００から取り外されて、終端モジュール４００上の適当なアダプタ４５０へ移される。この移す過程の間、ファイバは、アダプタ４５０に達するために、部分的なスプール９７２のような、別の部分的なスプール９７０周辺で巻き直すことが必要となる可能性がある。部分的なスプール９７２から、ファイバはアダプタ４５０に達する前に過剰な曲げを避けるために適切なリミッタ９８０周辺に送られることが可能である。いくつかの実施形態では、ファイバはまた、アダプタ４５０に差し込む前に、メイン・パネル３１０の終端セクション３１１から伸びている支持フィンガ９９０を通している。当初、ストレッジ・モジュール６００に固定されたファイバ７０４の全てが加入者終端モジュール４００に配線されたときには、空のストレッジ・モジュール６００を、新規なスプリッタ・モジュール５００および新規なストレッジ・モジュール６００のための余裕をつくるために、取り除くことができる。
【００４４】
図１２Ａ−１２Ｂを、ここで参照する。時間経過と、加入者の数の増加とともに、ユーザは終端モジュール４００をスイング・フレーム３００に追加することができる。図１２Ｂおよび図１２Ａは、終端モジュール４００の１つの実施形態を示す。終端モジュール４００は、実質的にＬ字型構成に配置された終端レッグ４１０およびマネジメント・レッグ４２０を含む。いくつかの実施形態では、連結セクション４３０は、終端レッグ４１０をマネジメント・レッグ４２０に接続する。他の実施形態では、連結セクション４３０はよりモノリシックにシターンが形成されている終端レッグ４１０またはマネジメント・レッグ４２０。さらに他の実施形態においては、終端レッグ４１０、マネジメント・レッグ４２０および連結セクション４３０は、一体に形成される（例えば、曲がったシートメタルの単一の部品として構成される）。
【００４５】
いくつかの実施形態では、終端モジュール４００（図１２Ｂに示す）の終端レッグ４１０の前側は、メイン・パネル３１０の後ろ側に取付けられる。１つの実施形態において、終端レッグ４１０はネジ４１７を使用しているメイン・パネル３１０に取付けられる。しかしながら、他の実施形態においては、ボルト、鋲、釘、その他のデバイスのようなファスナーを、モジュール４００をメイン・パネル３１０に接続するために用いることができる。さらに他の実施形態において、モジュール４００は、接着剤を使用してメイン・パネル３１０に取り付けられることが可能である。
【００４６】
各終端モジュール４００は、主ケーブル７００のファイバを、分配ケーブル７０８のファイバに接続するための光ファイバ・アダプタ４５０の少なくとも１つの列を含む。各アダプタ４５０は、前端部４５２および後端部４５４を有する。各アダプタ４５０の前端部４５２は、本線７００とインターフェースするファイバ７１２のコネクタ７１４、または、本線７００から分れたファイバ７０４のコネクタ７０６を保持するように構成される。各アダプタ４５０の後端部４５４は、分配ケーブル７０８のファイバのコネクタ７１０を保持するように構成される。コネクタ７０６がメイン・パネル３１０の前側から、アダプタ４５０の前端部４５２に入り、分配ケーブル７０８のコネクタ７１０が、メイン・パネル３１０の後ろ側からアダプタ４５０に入るように、アダプタ４５０は終端レッグ４１０から突き出ている。
【００４７】
上述の実施形態において、各モジュール４００は、２本の並んだバンクを協調して規定するアダプタ４５０の６つの水平な列を含む。モジュール４００がメイン・パネル３１０に搭載されるときに、レッグ４１０の前側は、メイン・パネル３１０の後側に接し、アダプタ４５０の列は、パネル３１０により規定された対応する水平スロット３１４を通って、前方へ突き出る。
【００４８】
マネジメント・レッグ４２０は、終端レッグ４１０から後方に伸びている。各マネジメント・レッグ４２０は、モジュール４００上の多数のアダプタ４５０を収容する適当数のファンアウト４２４を含む。例えば、ある実施形態においては、モジュール４００の終端レッグ４１０は、各列が１２のアダプタ４５０を有する６列のアダプタ４５０を含み、マネジメント・レッグ４２０は１２：１のファンアウト４２４を６つ有する。本願明細書において使用する用語として、「１２：１のファンアウト」とは、１２の光ファイバを受けて、１２のファイバを含んでいる単一のケーブル・リボンを出力するように構成されるファンアウトである。他の実施形態では、１２：１のファンアウトの代わりに、９つの８：１のファンアウト、あるいは、３つの２４：１のファンアウトが用いられる。さらに他の実施形態において、ファンアウトがファイバをアップジャケット（ｕｐｊａｃｋｅｔ）するのに使うことができる。
【００４９】
いくつかの実施形態では、終端モジュール４００は、各々のアダプタ４５０に連結するコネクタ化分配ファイバ７０８を含むように、出荷前に配線済みとなっている。塵キャップ４５３は、終端した分配ファイバ７０８を、塵、ほこりおよび他の汚染物から保護するためにアダプタ４５０の前端部４５２に、一般に提供される。各分配ファイバ７０８のコネクタ７１０は、アダプタ４５０の後端部４５４内に搭載され、配布ファイバ７０８が、コネクタ７１０から終端モジュール４００のマネジメント・レッグ４２０に提供されたファンアウト４２４まで配線される。さらに他の実施形態において、終端モジュール４００は事前に配線が行われず、塵キャップ４５５はまた、アダプタ４５０を保護するためにアダプタ４５０の後端部４５４に提供される。
【００５０】
いくつかの実施形態では、終端モジュール４００のマネジメント・レッグ４２０も、分配ファイバ７０８の余分なファイバの長さを管理する少なくとも１つのケーブル管理装置４２５を含む。通常、この種のシステムでは、ファイバ７０８はケーブル管理装置４２５に最初に配線され、それからファンアウト４２４に配線される。ケーブル管理装置４２５の例は、ファイバ・スプール、１つ以上の半径屈曲リミッタ、１つ以上のファイバ・クリップ、および、その他この種の装置を含む。ここに示した例では、マネジメント・レッグ４２０は、２つの半径屈曲リミッタから形成されるファイバ・スプール４２６を含む。各半径屈曲リミッタは、スプール４２６上のファイバを保持するためのフランジ４２７を含む。いくつかの実施形態では、ファイバ・ケーブルを保持するための１つ以上のファイバ・ケーブル・クリップ４２８を、スプール４２６の半径屈曲リミッタの間に置くことができる。
【００５１】
図１３を、ここで参照する。終端モジュール４００のマネジメント・レッグ４２０は、ケーブル管理装置４２５からファンアウト４２４まで配線したファイバが通過する開口部４２２を含む。ファンアウト４２４を出ると、リボン・ファイバが、キャビネット・ファンアウト（図示せず）または他のケーブル・インターフェイス装置に配線される。他の実施形態では、ファンアウト４２４は、ケーブル管理装置４２５と同じマネジメント・レッグ４２０の側に提供される。このような実施形態では、リボン・ファイバは、ファンアウト４２４から、開口部４２２を通って、キャビネット・ファンアウトに配線される。キャビネット・ファンアウトは、キャビネット２０１の内部に取り付けられて、スイング・フレーム３００に取り付けられない。キャビネット・ファンアウトは、ＦＤＨ２００を出る単一の被覆されたスタブ・ケーブルに入るリボン・ファイバを減らすために用いることができる。スタブ・ケーブルは、ＦＤＨ２００の外の加入者分配ケーブルにつなぎ合わされる。種々の実施形態において、スタブ・ケーブルは、約２５フィートから約３００フィートまでいろいろな長さである。他の実施形態では、分配ケーブル７０８は、キャビネット２０１の中に配線し、ファイバ７０８につなぎ合わせるか、さもなければ、接続することができる。
【００５２】
図１４を、ここで参照する。スイング・フレーム３００の後ろ側３０４は、少なくとも１つの終端モジュール４００を収納するのに適している開放チャンバを形成する。開放チャンバは、隔壁３０１、上部パネル３２０、底部パネル３３０および側面パネル３４０により規定される。図１４は、開放チャンバに搭載された４つの終端モジュール４００の後ろからの斜視図である。アダプタ４５０は、見易さのために取り除かれている。他の実施形態では、所望の数だけ、終端モジュール４００を、スイング・フレーム３００に搭載できる。終端モジュール４００は、メイン・パネル３１０の終端領域３１１の後ろ側に取付けられるように構成される。
【００５３】
図１５は、その中で搭載された４つの終端モジュール４００を有するスイング・フレーム３００の左側面図を示す。多数の終端モジュール４００がメイン・パネル３１０の後ろ側に搭載される場合には、終端モジュール４００のマネジメント・レッグ４２０は、側面パネル３４０の反対の部分的な側面パネルを形成する。いくつかの実施形態では、モジュール４００のマネジメント・レッグ４２０は、互いに、またはスイング・フレーム３００に固定される。他の実施形態では、図１５に示されているように、モジュール４００は、終端レッグ４１０のみで、スイング・フレーム３００に固定され、マネジメント・レッグ４２０は、自由なフローティングである。
【００５４】
図１６〜１９を、ここで参照する。スイング・フレーム３００は、入力フィーダ・ケーブル７００および分配線７０８の間に、多数のファイバ経路をつくるために、異なるインターフェース装置８００（図３を参照）およびケーブル管理装置で構成できる。インターフェース装置８００および特定の構成において使用する管理装置は、フィーダ・ケーブル７００を分割することが望ましいかどうか、そして、スプリッタ・モジュール５００のどんなタイプが利用されるかに依存する。
【００５５】
いくつかの実施形態では、フィーダ・ケーブル７００は、１つ以上のスプリッタ入力ファイバ７０２に接続する。そのような実施形態において、スプリッタ入力ファイバ７０２の第１端部７０１は、コネクタ化される。別の実施形態においては、第１端部７０１はコネクタ化されていない。入力ファイバ７０２の対向端部７０３は、図８Ａ−８Ｃに表されるスプリッタ・モジュールを使用するようなときに、スプリッタ・モジュール５００上の一体型コネクタ５２０とインターフェースすることができ、あるいは、スプリッタハウジング５０５を貫通できる。しかしながら、他の実施形態においては、フィーダ・ケーブル７００は、スプリッタ・モジュール５００の一体型コネクタ５２０とインターフェースするように構成されたコネクタを備えている。
【００５６】
図１６は、コネクタ化されたフィーダ・ケーブル７００とスプリッタ・モジュール５００をインターフェースするのに適しているスイング・フレーム３００の背面図である。このインターフェースを達成するために、ケーブル管理装置は、構成Ｃ１により設けられる。構成Ｃ１では、ケーブルストレッジ・スプール９２２および１つ以上の部分的なストレッジ・スプール９２４が、スイング・フレーム３００の側面パネル３４０に取付けられる。ファンアウト装置９２６は、スプール９２２、９２４に隣接して設置される。半径リミッタ９３６は、上部パネル３２０および側面パネル３４０により形成される隅の近くで、第２のパネルに取り付けられる。上部パネル３２０から下方へ突出している支持フィンガ９３２は、ファイバが上部パネル３２０の一端部３２９から、他端部３２８まで沿って配線されることが可能であるような経路Ａを形成する。いくつかの実施形態では、支持フィンガ９３２は、少なくとも２本のフィンガ９３２を有する多分岐したクリップ９３４を含む。各フィンガ９３２は、異なる方向に伸びている。１つの例示の実施形態において、多分岐したクリップ９３４は、互いに直交して配置された４本のフィンガ９３２を含む。余分なファイバの長さは、ピグテール７０２を多分岐したクリップ９３４に巻くことにより、取ることができる。タブ９４５を有するリミッタ９４０は、上部パネルから伸びる。
【００５７】
フィーダ・ケーブル７００をスプリッタ５００に接続するために、ケーブル７００は、最初に、スプール９２２、９２４周辺に、次に、ファンアウト装置９２６に配線される。ファンアウト装置９２６は、フィーダ・ケーブル７００のファイバを、個々の入力ファイバに分離する。フィーダ・ケーブル７００の個々のファイバの余分な長さは、スプール９２２、９２４周りにファイバを巻きつけることにより格納できる。フィーダ・ケーブル７００のファイバは、次に、上部パネル３２０から下方に突出している支持フィンガ９３２を使用してリミッタ９３６周辺に、経路Ａに沿って配線される。フィーダ・ケーブル７００は、次に、上部パネル３２０から伸びているリミッタ９４０周辺でカーブして、直接スプリッタ・モジュール・ハウジング３２２に固定されているアダプタ・アセンブリ５３０のうちの少なくとも１つに接続される。フィーダ・ケーブル７００のファイバは、ゆるいバッファチューブによって、スイング・フレーム３００の中で配線され、保護することができる。
【００５８】
図１７は、スプリッタ・モジュール５００にコネクタ化されたフィーダ・ケーブル７００とインターフェースするのに適しているスイング・フレーム３００の後ろからの斜視図である。ケーブル管理装置は、構成Ｃ１のバリエーションにしたがって、設けられる。ストレッジ・スプール９２２、９２４およびファンアウト装置９２６は、側面パネル３４０よりむしろ第２のパネル３１５の後ろ側に取付けられる。他の実施形態（図示せず）において、ストレッジ・スプール９２２、９２４およびファンアウト装置９２６は、底部パネル３３０に搭載することができる。スプール９２２、９２４およびファンアウト装置９２６の位置には関係なく、フィーダ・ケーブル７００は、ファンアウト装置９２６から屈曲リミッタ９３６まで、経路Ａに沿って、屈曲リミッタ９４０を越えて配線され、さらに、スプリッタ・モジュール・ハウジング３２２に搭載されたアダプタ・アセンブリ５３０まで配線される。
【００５９】
図１８〜１９を、ここで参照する。フィーダ・ケーブル７００は、直接スプリッタ５００に接続するのではなく、むしろ、少なくとも１つのインターフェース装置８００を使用して、スプリッタ入力７０２とインターフェースすることが可能である。図１８は、スプリッタ・モジュール５００を有するコネクタ化されたフィーダ・ケーブル７００と、中間スプリッタ入力ファイバ７０２を通して、インターフェースするように構成されるスイング・フレーム３００の後ろからの斜視図である。各スプリッタ入力ファイバ７０２は、スプリッタ５００の一体型コネクタ５２０の反対側のアダプタ・アセンブリ５３０の１つに差し込む第１のコネクタ化端部７０３を有する。しかしながら、一体型コネクタを有するスプリッタを使用していない他の実施形態において、スプリッタ入力７０２は、アダプタ・アセンブリ５３０に差し込むのではなく、むしろ、スプリッタハウジング５０５を突き抜けるピグテールである。各スプリッタ入力ファイバ７０２は、フィーダ・ケーブル７００のファイバのコネクタ化された端部とインターフェースする第２のコネクタ化した端部７０１を有する。
【００６０】
このような入力ピグテール７０２は、屈曲半径リミッタ９４０の上を通って、アダプタ・アセンブリ５３０から、図１６で示す上部パネル３２０の下を通して配線される。特に、入力ピグテール７０２は、経路Ａに沿って、支持フィンガ９３２を使用して、側面パネル３４０の方へ、それから半径屈曲リミッタ周辺に配線される。入力ピグテールの端部７０１は、次に、第１のアダプタ・モジュール８２０を使用しているフィーダ・ケーブル７００に接続される。いくつかの実施形態では、第１のアダプタ・モジュールは、底部パネル３３０に隣接する第２のパネル３１５に取り付けられる。しかしながら、他の実施形態では、第１のアダプタ・モジュール８２０は、底部パネル３３０または側面パネル３４０に固定できる。第１のアダプタ・モジュール８２０は、１つ以上の列に配置される多数のアダプタ８２５を含む。いくつかの実施形態では、各列は、約６つのアダプタ８２５を含む。アダプタ・モジュールについての追加的情報は、米国出願２００５年３月３１日に出願された、「コネクタ・ストレッジを備えるアダプタ・ブロック（Adapter Block Including Connector Storage）」と題する米国出願第１１／０９５，０３３号、および米国特許第５,４９７,４４４号、第５,７１７,８１０号、第５,７５８,００３号、第６,５９１,０５１号から得られる。
【００６１】
フィーダ・ケーブル７００を第１のアダプタ・モジュール８２０に接続するために、追加のケーブル管理装置が、第２の構成Ｃ２に従って提供される。第２の構成Ｃ２は、ファンアウト装置９０１および１つ以上の完全あるいは部分的なゆるみのストレッジ・ファイバ・スプール９０２、９０４をそれぞれ含む。上述の実施形態では、ファンアウト装置９０１およびストレッジ・スプール９０２、９０４は、底部パネル３３０に取付けられる。
【００６２】
フィーダ・ケーブル７００は、最初に、ファンアウト装置９０１に配線され、リボン・ケーブル７００のファイバを個々のファイバに分ける。フィーダ・ケーブル７００の個々のファイバの余分な長さは、ゆるみストレッジ・スプール９０２および部分的なゆるみストレッジ・スプール９０４に格納できる。フィーダ・ケーブル７００のファイバは、次に、第１のアダプタ・モジュール８２０に配線される。フィーダ・ケーブル７００のコネクタ化された端部は、第１のアダプタ・モジュール８２０のアダプタ８２５の端部に搭載される。入力ファイバ７０２のコネクタ化された端７０１は、半径リミッタ９３６から第１のアダプタ・モジュール８２０のアダプタ８２５の対向端部まで、配線される。アダプタ８２５は、フィーダ・ケーブル・ファイバ７００のコネクタおよび入力ファイバ７０２のコネクタ７０１の間のインターフェースを提供する。図１９は、スプリッタ・モジュールと、コネクタ化していない端部を有するフィーダ・ケーブル７００の使用のために構成されたスイング・フレーム３００の後ろからの斜視図である。フィーダ・ケーブル７００は、コネクタ化していない第２端部７０１を有するスプリッタ・入力ファイバ７０２につなぎ合わされる。フィーダ・ケーブル７００を、非接続状態のファイバ入力７０２に接続するために、スプライス・トレイ８３０をスイング・フレーム３００の後ろ側３０４に取り付ける。
【００６３】
フィーダ・ケーブル７００をスプライス・トレイ８３０に接続するために、追加的ケーブル管理装置が、第３構成Ｃ３にしたがって、取り付けられる。第３の構成Ｃ３は、スプライス・トレイ８３０周辺に取り付けられた、ファンアウト装置９０７および１つ以上の半径屈曲リミッタ９０６を含む。加えて、少なくとも１つの半径屈曲リミッタ９０８は、スプライス・トレイ８３０に隣接して配置される。各リミッタ９０６は、リミッタ９０６周辺でファイバのループを維持するタブ９０７を含む。リミッタ９０６は、ファイバがスプライス・トレイ８３０の隅でつかまってしまうのを防止する向きに置かれる。いくつかの実施形態では、スプライス・トレイ８３０およびリミッタ９０６は、第２のパネル３１５の裏側に配置される。しかしながら、他の実施形態において、スプライス・トレイ８３０およびリミッタ９０６は、スイング・フレーム３００の後ろ側３０４の、どの所望の位置にも配置することができる。
【００６４】
フィーダ・ケーブル７００のコネクタ化されていない端部は、リミッタ９０６周辺を通って、スプライス・トレイ８０８に配線される。フィーダ・ケーブル７００の個々のファイバの余分な長さは、スプライス・トレイ８３０周りでファイバを巻きつけることにより格納できる。スプリッタ・モジュール５００からの入力ファイバ７０２は、半径リミッタ９３６から、リミッタ９０８周辺を通って、スプライス・トレイ８３０に配線される。フィーダ・ケーブル７００のコネクタ化されていない端部は、入力ファイバ７０２のコネクタ化された端部７０１で、つなぎ合わされる。
【００６５】
つづいて図１６〜１９を参照するが、いくつかの実施形態では、加入者に、より強いかより信頼性が高い信号の伝送を可能にするためにフィーダ・ケーブル７００の１つ以上を分割しないほうが望ましいことがある。いくつかの実施形態では、したがって、スイング・フレーム３００は、更に、少なくとも１つのファイバ（パススルー・ファイバと言う）を、フィーダ・ケーブル７００からのファイバとインターフェースすることを可能にするように構成される。パススルー・ファイバ７１２は、スプリッタ・モジュール５００をバイパスして、スイング・フレーム３００の前部へ進み、分配線７０８とインターフェースする。
【００６６】
このような配線を達成するために、スイング・フレーム３００は、側面パネル３４０の後部フランジ３４４の開口部９１０を含む。いくつかの実施形態では、開口部９１０は、開口部９１０を経由するファイバの過剰な曲げを防止するために、フランジ３４４の外側表面上から外へ伸びている半径リミッタ９１２（図１３に最も良く示されている）を含む。タブ９１５は、また、後部フランジ３４４の外側に押し付けられて、後部フランジ３４４の外側を上に向かうチャネルを規定する。半径屈曲リミッタ９６２は、側面パネル３４０の後部フランジ３４４を上部パネル３２０に連結する。追加的なケーブル管理装置は、スイング・フレーム３００が組み立てられる構成Ｃ１、Ｃ２、Ｃ３に基づいて提供される。
【００６７】
図１７を参照する。スイング・フレーム３００が構成Ｃ１のように配置される場合には、フィーダ・ケーブル７００のコネクタ化ファイバは、第２のアダプタ・モジュール８１０を使用している入力ファイバ７０２に接続する。アダプタ・モジュール８１０は、どちらの端部からもコネクタ化されたファイバを受け入れるように構成された多数の光ファイバ・アダプタ８１５を含む。スイング・フレーム３００も、屈曲半径リミッタ９０６およびゆるみストレッジ・スプール９０２、９０４の形で追加的なケーブル管理を含む。
【００６８】
スプリッタ・モジュール５００をバイパスするために、フィーダ・ケーブル７００は、スプール９２２、９２４周りを通って、ファンアウト装置９２６まで配線される。しかしながら、ファンアウト装置９２６から、フィーダ・ケーブル・ファイバ７００は、スプール９２２、９２４の後ろをまわり、屈曲リミッタ９２６のまわりを通って、スプール９０２、９０４の周りを配線される。スプール９０２、９０４から、ファイバ７００のコネクタ化された端部は、アダプタ・モジュール８１０に固定される。アダプタ・モジュール８１０は、ファイバ７００を、開口部９１０から出て、側面パネル３４０をリミッタ９６２まで上がり、上部パネル３２０まで配線されたパススルー・ファイバ７１２のコネクタ化された端部に接続する。上部パネル３２０から、パススルー・ファイバ７１２は、図１０および１１について上で述べたように、終端モジュール４００の方に配線される。図１８において、パススルー・ファイバ７１２は、また、第２の構成Ｃ２のように用いることが可能である。フィーダ・ケーブル７００は、また、ファンアウト装置９０１に、まず配線され、それから、スプール９０２、９０４に収納されているたるみを有するアダプタ・モジュール８２０の一方の端部に配線される。しかしながら、アダプタ・モジュール８２０の他の端部につながっているスプリッタ・ピグテール７０２の代わりに、パススルー・ピグテール７１２が、アダプタ・モジュール８２０に差し込み接続する。パススルー・ピグテール７１２は、次に、前のパラグラフで述べたものと同じ配線パターンで配線される。
【００６９】
図１９を参照する。パススルー・ピグテール７１２は、また、フィーダ・ケーブル７００のコネクタ化していない端部につなぎ合わされることも可能である。この種の構成が要求される場合には、スイング・フレーム３００は、図１７について上に述べた第２のアダプタ・モジュール８１０を備える。フィーダ・ケーブル７００は、また、リミッタ９０６周りに配線され、構成Ｃ３にしたがって、上に、スプライス・トレイ８３０まで配線される。フィーダ・ケーブル７００の個々のファイバの余分な長さは、リミッタ９０６周りにファイバを巻きつけることにより格納できる。しかしながら、フィーダ・ケーブル７００のファイバは、スプリッタ入力７０２によりむしろコネクタ化されたピグテール７１１につなぎ合わされる。スプライス・トレイ８３０から、コネクタ化されたピグテール７１１は、ストレッジ・スプール９０２、９０４周りを配線され、第２のアダプタ・モジュール８１０に差し込み接続する。第２のアダプタ・モジュール８１０は、開口部９１０から出て、側面パネル３４０をリミッタ９６２まで上がり、上部パネル３２０まで配線されたコネクタ化パススルー・ファイバ７１２でピグテール７１１を接続される。
【００７０】
パススルー・ファイバ７１２は、スプリッタ・モジュール５００をバイパスし、上部パネル３２０の第２のファイバ・スプール９５４の周りを通り、リミッタ９６４か部分的スプール９６６を経てチャネルＢに配線される。スイング・フレームの前側３０２に沿ったパススルー・ファイバ７１２の配線は、図１０および１１について上に述べたように、スプリッタ・ピグテール７０４の配線と実質的に同様である。典型的には、パススルー・ファイバ７１２は、終端モジュール４００上のアダプタ４５０を経て加入者回線７０８に、直接接続している。しかしながら、いくつかの実施形態では、パススルー・ファイバ７１２は、ストレッジ・モジュール６００上の空いた場所に収納することができる。
【００７１】
図２０〜２９は、図２０〜２３に開示した実施形態ＦＤＨ２００'の原理に従った特徴を有する代替のファイバ分配ハブ（ＦＤＨ）を示す。ファイバ分配ハブ２００'は、ファイバ分配ハブ２００に関してすでに述べた、同じコンポーネントを収容しているキャビネット２０１'を含む。例えば、キャビネット２０１'は、前部ドア２１０、２１２開くことによってアクセスできる主コンパートメント２３０を規定する。スイング・フレーム３００は、主コンパートメント２３０の中に回動自在に搭載される。終端領域およびストレッジ領域が、スイング・フレームに設けられる。スプリッタは、また、バネ・フレームを備える。主コンパートメント２３０の内部コンポーネントに関する更なる詳細は、ファイバ分配ハブ２００についての詳細な説明の箇所にある。
【００７２】
ファイバ分配ハブ２００'は、キャビネット２０１'の後方からアクセスすることができる補助コンパートメント２３２を含むように修正されている。補助コンパートメント２３２は、また、ポケット、リセス、差込領域、チャンバ、あるいは同様な用語で参照される。補助コンパートメント２３２は、補助ドア２３４を開くことによってアクセスすることができる。補助ドア２３４は、キャビネット２００'の外側に位置する。補助ドア２３４を開くと、補助コンパートメント２３２にアクセスすることができるが、キャビネット２０１'の主コンパートメント２３０にはアクセスできない。したがって、フィールド技術者は、迅速に、ファイバ分配ハブ２００'の内部テレコミュニケーション・コンポーネントのいずれをも妨げることなく、補助コンパートメント２３２を見つけ、手を入れることができる。
【００７３】
図２２を参照する。補助コンパートメント２３２は、取付けフランジ部２３７および封入部分２３９を有するプレート２３５により規定される。取付けフランジ部２３７は、封入部分２３９の周辺部に広がっている。封入部分２３９は、取付けフランジ部２３７から後方に突出して、補助コンパートメント２３２を形成する概略矩形のリセスを規定する。補助ドア２３４は、ヒンジ２４０によってプレート２３５に回動自在に接続していることが、示される。補助ドア２３４は、いかなる従来のラッチング装置によっても閉位置に固定される。１つの実施形態においては、開口部２４２を通って伸びて、プレート２３５の開口部２４４に固定された固定ナット（図示せず）にねじ込まれるボルトによって、補助ドア２３４は閉位置に保つことができる。
【００７４】
図２０に最もよく示されているように、プレート２３５は、キャビネット２０１'の背壁部２４６に搭載される。キャビネット２０１'の背壁部２４６は、プレート２３５の封入部分２３９を受け入れるための開口部２４８を有する。背壁部２４６にプレート２３５を搭載するために、封入部分２３９は開口部２４８に挿入され、プレート２３５の取付けフランジ部分２３７は、（例えば、ボルトまたは他のファスナーで）背壁部２４６に固定される。スケーリング・ガスケット２５０（図２３に示す）は、水分がキャビネット２０１'の主コンパートメント２３０に入るのを防止するために、取付けフランジ部２３７および背壁部２４６の間に設けることができる。プレート２３５が背壁部２４６に搭載されるときに、封入部分２３９は図２１に示すように主コンパートメント２３０の中にわずかに突き出る。
【００７５】
補助コンパートメント２３２は、キャビネット２０１'とキャビネット２０１'を出入りするシールド・ケーブルとをグランドに相互接続するために用いられている接地インターフェース２５５を保護し、すぐにアクセスできるように構成される。図２２に示すように、接地インターフェース２５５は、筐体接地ポスト２６０のような端子と、５つのケーブル接地ポストとを２６２を含む。好適な実施形態において、ポスト２６０、２６２は、長さ方向に沿って、外部からねじ込まれる。ポスト２６０、２６２は、全て、電気伝導バス・プレート２６６によって規定される開口部を通過する。ある実施形態において、バス・プレートは、銅のような金属である。フランジ付きナット２６４のようなプレート接触部材は、各々のポスト２６０、２６２にねじ付けられる。フランジ付きナット２６４が、ねじを締められてバス・プレート２６６と接触したときに、バス・プレート２６６は、電気的に接地ポスト２６０、２６２の全てを互いに接続する電気バスとして機能する。筐体接地ポスト２６０は、望ましくはグランドに電気的に接続している。したがって、ポスト２６０、２６２の全てがバス・プレート２６６によって互いに電気的に接続するときには、ポスト２６０、２６２は全て、共通に接地される。
【００７６】
フィールド技術者が、接地インターフェースを通して接地されたケーブルの１つのシールドを通じて、ロケータ信号を送り出すことを必要とするときには、ケーブルのシールドをグランドから切り離して、選択されたケーブルを他のケーブルから絶縁することが、望ましい。この作業は、簡単で、時間がかからない方法でされることが好ましい。記載された実施形態において、所与のケーブルは、フランジ付きナット２６４がバス・プレート２６６に接触しないように、ケーブルに対応するフランジ付きナット２６４をゆるめるだけで、グランドから切り離すことできる。フランジ付きナットをゆるめることで、選択されたケーブル接地ポスト２６２は、筐体接地ポスト２６０から切り離される。これによって、位置を特定したいケーブルのシールドに対して、選択されたケーブル接地ポスト２６２を通して、ロケータ信号を、容易に送り出すことができる。
【００７７】
図２３は、バス・プレート２６６の搭載構成の実施形態を示す。図２３に示すように、各ケーブル接地ポスト２６２は、第１の誘電ブッシング２７０によりバス・プレート２６６から電気的に絶縁され、第２の誘電ブッシング２７２によって、プレート２３５から電気的に絶縁される。誘電ブッシング２７０、２７２は、好ましくは通常、ケーブル接地ポスト２６２を嵌め込むことができ、バス・プレート２６６およびプレート２３５によってそれぞれ規定される開口部にちょうど嵌まる筒状スリーブである。第１および第２のポスト保持ナット２７４、２７６は、適所にポスト２６２を係止して、ポスト２６２の軸方向移動を防止するために、ケーブル接地ポスト２６２にねじ込む。例えば、ポスト保持ナット２７４、２７６は、プレート２３５がナット２７４、２７６の間で固定されるまで、ポスト２６２を、互いの方へ締められる。誘電絶縁ワッシャ２７７、２７８は、ナット２７４、２７６がプレート２３５から電気的に絶縁されるように、ポスト保持ナット２７４、２７６およびプレート２３５の間に搭載される。付加ナット２８０を、ワイヤをポストに接続するために、ケーブル接地ポスト２６２に設けることができる。例えば、ワイヤの他端を、ファイバ分配ハブ２００'に配線されるケーブルのメタルシールドに（例えば、クリップで）電気的に接続しておいて、ワイヤの１つの端部を、ナット２８０、２７６の間に固定することができる。
【００７８】
筐体接地ポスト２６０をバス・プレート２６６またはプレート２３５から絶縁することは典型的には望ましくないので、筐体接地ポスト２６０は、すこし異なる構成で搭載される。記載された実施形態において、ナット２８６、２８８は、筐体接地ポスト２６０をプレート２３５に固定するために用いる。ブッシングまたは他の分離器は、プレート２３５および筐体接地ポスト２６０の間には設けられない。このように、好ましくは常時、筐体接地ポスト２６０は、プレート２３５に電気的に接続している。付加ナット２８９は、筐体接地ポスト２６０に、接地ワイヤを固定するために用いることができる。接地ワイヤ２９０は、好ましくは筐体接地ポスト２６０から、グランドまで走っている。ナット２９２は、また、バス・プレート２６６および筐体接地ポスト２６０間の電気接続を改善するために、筐体接地ポスト２６０に用いられる。
【００７９】
別の実施形態において、誘電ブッシングは、また、筐体接地ポスト２６０およびバス・プレート２６６の間に用いることができる。このような方法で、フランジ・ナット２９２をゆるめることによって、ケーブル接地ポスト２６２の５つの全てが、グランドから切り離される。このような方法で、技術者は、ケーブル接地ポスト２６２の１つを通して、信号を送り出すことによって、ケーブルシールドの全てを通して、同時に、ロケーティング信号を送り出すことができる。
【００８０】
上述したように、筐体接地ポスト２６０は、キャビネット２０１'を接地するように機能する。したがって、好ましくは、電気的接続が、プレート２３５およびキャビネット２０１'の本体の間に存在する。これは、プレート２３５の取付けフランジ部分２３７およびキャビネット２０１'の背壁部２４６の間の、金属−金属の接触領域によるものである。代替的には、ワイヤ２９４は、また、主背壁部２４６およびプレート２３５間の電気接続を与えるために用いることができる。類似のワイヤは、前部ドア２１０、２１２とキャビネット２０１'の主本体との間の電気的接続を与えるのに用いることができる。
【００８１】
再び図２１および２３を参照する。ポスト２６０、２６２の内部の端部は、キャビネット２０１'の主コンパートメント２３０の中に位置する。図２３に示すように、筐体接地ポスト２６０の内部の端部は、グランドにキャビネットの最下段でポスト２６０の内部の端部から伸びるワイヤ２５１によって、グランド２９７（例えば、地中に打ち込まれた金属ポスト）に、電気的に接続している。同様に、２つの記載されたケーブル接地ポスト２６２の内部の端部は、ファイバ分配ハブ２００'に配線されているケーブル２９８、２９９のシールドに電気的に接続している。従来のワイヤ２５２、２５３は、ポスト２６２内部の端部とケーブル２９８、２９９との間に電気的接続を与えるために用いることができる。ワイヤ２５１〜２５３が接続されると、後でフィールド技術者がワイヤ２５１〜２５３によって煩わされたり、切断したりする必要がない。ケーブル２９８、２９９は、主コンパートメント２３０の内部ではなく、補助コンパートメント２３２の中で主キャビネット２３０の外部から個々に絶縁することができる。
【００８２】
一般の使用では、ファイバ分配ハブ２００'に到着したフィールド技術者は、接地インターフェース２５５にアクセスするのに、単に、補助ドア２３４を開く必要があるだけである。開いた補助ドア２３４によって、技術者は、位置を特定したい埋設ケーブルに対応するケーブル接地ポスト２６２を同定する。フィールド技術者は、次に、ポスト２６２がバス・プレート２６６から電気的に絶縁されて、グランドから切り離されるように、選択されたケーブル接地ポスト２６２に対応するフランジ付きナット２６４を緩める。ポスト２６２を電気的に絶縁することで、位置を特定したいケーブルのシールドに対して、ケーブル接地ポスト２６２を通して、ロケータ信号を送信することができる。ケーブル位置が特定されてマークされたあと、フランジ付きナット２６４を、ケーブルが再びグランドに電気的に接続するように、バス・プレート２６６に対して下方に締めつける。
【００８３】
図２４〜２９は、キャビネット２０１'の後方からアクセスされることができる代替補助コンパートメント２３２'を図示する。補助コンパートメント２３２'は、キャビネット２００'の外側に位置する補助ドア２３４'（図２７）を開くことによってアクセスすることができる。補助ドア２３４'は、図２０−２３に関して先に述べた補助ドア２３４とかなり類似している。補助ドア２３４'を開くと（図２８参照）、補助コンパートメント２３２'にアクセスすることができるが、キャビネット２０１'の主コンパートメント２３０にはアクセスできない。したがって、フィールド技術者は、迅速に、ファイバ分配ハブ２００'の内部テレコミュニケーション・コンポーネントのいずれをも妨げることなく、補助コンパートメント２３２を見つけ、手を入れることができる。
【００８４】
一般に、補助コンパートメント２３２'は、取付けフランジ部２３７'および封入部分２３９'（図２５）を有するプレート２３５'（図２４）により規定される。取付けフランジ部２３７'は、封入部分２３９'の周辺部に広がっている。封入部分２３９'は、取付けフランジ部２３７'から、キャビネット２００'の主コンパートメント２３０'の方に突出している。封入部分２３９'は、補助コンパートメント２３２'を形成する概略矩形のリセスを規定する。プレート２３５'は、背壁部２４６（図２０）等のキャビネット２０１'のパネルに、一般的には、たとえばファスナー２３８'を用いるなど、実質的に、プレート２３５に関して前述したのと同じ方法で、搭載される。
【００８５】
補助コンパートメント２３２'は、キャビネット２０１'とキャビネット２０１'を出入りするシールド・ケーブルとをグランドに相互接続するために用いられている接地インターフェース２５５'を保護し、すぐにアクセスできるように構成される。一般に、シールド・ケーブルは、従来の電気接地ワイヤ２５２'、２５３'を、ケーブル２９８、２９９（図２１）から、補助コンパートメント２３２'中に送りこむことによって接地され、電気接地ワイヤ２５２'、２５３'の端部の電気接点２５８'を、接地インターフェース２５５'に結合する。
【００８６】
電気接地ワイヤ２５２'、２５３'は、プレート２３５'の封入部分２３９'と、キャビネット２０１'の背壁部２４６との間で規定された開口部を通して、補助コンパートメント２３２'中に送りこまれる。支持構造物２６８は、典型的には、これらの開口部に沿って、主コンパートメント２３０'の内部コンポーネントと、補助コンパートメント２３２'の内部コンポーネントを保護するために、補助コンパートメント２３２'を囲むように伸びる。支持構造物２６８はまた、電気ワイヤ２５２'を補助コンパートメント２３２'に導く。例えば、電気ワイヤ２５２'、２５３'を通すことができる１つ以上のアパーチャ２６９を有する発泡状挿入部材２６８を、補助コンパートメント２３２'の一方または両方の側に備えることができる。
【００８７】
図２４に示すように、接地インターフェース２５５'は、接地ポスト２６２'のような端部を含む。好適な実施形態において、接地ポスト２６２'は、すべて、長さ方向に沿って、外部からねじ込まれる。ポスト２６２'は、１つ以上の電気伝導バス・プレート２６６'から突き出ている（図２７参照）。ある実施形態において、バス・プレート２６６'は、銅などの金属から形成され、ポスト２６２'は、バス・プレート２６６に溶接される。バス・プレート２６６'は、電気的に接地ポスト２６２'を相互に接続する電気バスとして機能する。バス・プレート２６６'は好ましくは、グランドに電気的に接続しており、それによって、接地ポスト２６２の全てを電気的に共通グラウンドに接続している。
【００８８】
バス・プレート２６６'は、さまざまな方法でグランドに電気的に接続することができる。例えば、接地ポスト２６２'の１つは、接地インターフェース２５５に関して上述したように、筐体接地ポストとしての役割をしてもよい。他の実施形態では、バス・プレート２６６'は、プレート２３５'にボルト２３６等を使用して搭載され、電気的にバス・プレート２６６'とプレート２３５'とを接続する。プレート２３５'はキャビネット２０１'に搭載され、グランドに電気的に接続できる。
【００８９】
図２６〜２７は、バス・プレート２６６'の搭載構成の実施形態を示す。図に示すように、各ケーブル接地ポスト２６２'は、バス・プレート２６６によって規定された開口部内に（溶接、プレス嵌め等で）固定されたベース端部を有する。第１および第２のナット２８０'、２８２'を、ワイヤ２５２'、２５３'をグランドポスト２６２'（図２８）に接続するために、各ケーブル接地ポスト２６２'に設けることができる。
【００９０】
例えば、ワイヤ２５２'の一端上の電気的接点２５８'は、図２８に示すように、第１および第２のナット２８０'、２８２'の間に締め付けることができる。いくつかの実施形態では、誘電絶縁ワッシャ（図示せず）を、電気的接点と第１のナット２８０'との間、電気的接点と第２のナットとの間に搭載することができ、電気接点を、ナット２８０'、２８２'から絶縁する。
【００９１】
ケーブルのシールドをグランドから切り離して、選択されたケーブルを他のケーブルから絶縁することが望ましい場合には、ワイヤ２５２'上の電気的接点２５８'が、接地ポスト２６２'から取り除かれる。電気接点２５８'が、まず、第１のナット２８０'をポスト２６２'から取り除くことによって除去され、電気的接点２５８'をポスト２６２'から引き剥がす。電気接点を取り除くことで、選択された電気ワイヤ２５２'は、グランドポスト２６２'を接地されたままにして、グランドから切り離される。これによって、位置を特定したいケーブルのシールドに対して、電気ワイヤ２５２'を通して、ロケータ信号を、容易に送り出すことができる。
【００９２】
ファイバ分配ハブ２００が種々の異なるサイズにおいて製造されることができることは評価される。しかしながら、製造効率を良くするために、スプリッタが同一の長さを有するピグテールで製造されることが望ましい。ファイバ分配ハブの異なるサイズに対応するために、ピグテールは、好ましくは、使われると思われる最も大きいファイバ分配ハブにおいて間に合うように十分長く設計される。より小さい分配ハブのために、ピグテールの余分な長さは、ファイバ記憶領域で余分を巻きつけることにより吸収できる。例えば、余分な長さは、スイング・フレームの上面の設けられたスプール２５２、２５４（図７を見る）に巻きつけることができる。図３０は、異なるサイズのファイバ分配ハブに同一の長さのピグテールを使用するための代替手法を利用する、スイング・フレーム３００'を示す。図３０のスイング・フレーム３００'は、スイング・フレームの前部左上側に搭載されたスプリッタ・モジュール・ハウジング３２２'を有する。異なるサイズのスイング・フレームの異なる大きさに対応するために、スプリッタ・マウントは、スイング・フレームの上面の異なる場所に搭載することができる。例えば、標準サイズのピグテールが短すぎて、スイング・フレームの上面のいちばん左隅に位置するスプリッタ・マウントを有する所与のスイング・フレーム上の終端パネルに届かない場合には、ピグテールに付加的な長さを与えるために、スプリッタ・マウントを、中間の搭載位置２５７、または右搭載位置に移動することができる。
【００９３】
図３１〜３４を参照して、本願に開示した発明によるさらに別のファイバ分配ハブ（ＦＤＨ）の実施形態を示す。ファイバ分配ハブ２００"は、他の実施形態のキャビネット２０１"を含む。キャビネット２０１"は、キャビネット２０１"のバックパネル２０５ないし側面パネル２０４、２０６に搭載されたケーブル管理パネル２２０を含むように修正されたものである（図３１および３２参照）。ケーブル管理パネル２２０は、パネル２２０に穴明して取り付けられるタイ・ループ２２２を含むことができる。タイ・ループ２２２によって、ケーブル・タイをネジ込んで、１つ以上のケーブルを、キャビネット２０１のパネル２０４〜２０６に対して定位置に固定することができる。
【００９４】
図３３を参照する。ファイバ分配ハブ２００"は、アクセス・コンパートメント１０００に搭載することができる。アクセス・コンパートメント１０００は、上部パネル１００２、底部パネル１００３、右側面パネル１００４、左側面パネル１００６、バックパネル１００５および前部パネル１００８を含む。これらのパネル１００２〜１００６および１００８は、内部１０２０を規定する。上部パネル１００２は、キャビネット２０１"がアクセス・コンパートメント１０００に搭載されるときに、キャビネット２０１"の底部パネル２０３'に規定された開口部に整合するように構成される開口部を規定する。底部パネル１００３は、ケーブル・アクセス用の開口部を規定する。
【００９５】
いくつかの実施形態では、フィーダ・ケーブル７００のファイバと加入者ケーブル７０８は、アクセス・コンパートメント１０００の中で、キャビネット２０１からのスタブケーブル・ファイバに光学的に接続する。光接続は、前部パネル１００８に規定されている開口部を通してアクセスできる。前部パネル１００８の開口部は、通常、取り外し可能なアクセスパネル１０１０またはドアによっておおわれている。
【００９６】
図３４を参照する。キャビネット２０１"は、他のスイング・フレーム３００"を収納する。スイング・フレーム３００"は、キャビネット２０１"の主コンパートメント２３０"内に回動自在に搭載される（図３１）。一般に、スイング・フレーム３００''は、実質的に、上記のスイング・フレーム３００と同じコンポーネント領域を有する。しかしながら、スイング・フレーム３００"は、終端レッグ４１０の反対側に各終端モジュール４００のマネジメント・レッグ４２０の端部を固定するために、スイング・フレーム３００"の後部に搭載されるフレーム部材３６０を含むようにスイング・フレーム３００が修正された。
【００９７】
フレーム部材３６０は、ケーブルが終端モジュール４００を通して配線されたあと、終端モジュール４００を支持し、特に、マネジメント・レッグ４２０の重さを支える。フレーム部材３６０は、一般に、スイング・フレーム３００の上部パネル３２０と底部パネル３３０との間に広がる。好適な実施形態において、フレーム部材３６０の１つの端部３６１が、底部パネル３３０に固定され、対向端部３６２が上部パネル３２０のフランジ３２４に、固定される。
【００９８】
スイング・フレーム３００"はまた、スイング・フレーム３００"の上部パネル３２０に連結する斜面３６５を含む。斜面３６５は、部分的なファイバ・スプール９６６および屈曲リミッタ９６８の代わりに（図３４を図７と比較する）、上部パネルの端部３２９に隣接して配置される。斜面３６５は、ファイバが、上部パネル３２０からスイング・フレーム３００の前部３０２に、移るときに、最小曲げ半径を越えてファイバが曲げられるのを防ぐ。斜面３６５は、また、ファイバのゆるみを巻きとることができる（すなわち、収納できる）。斜面３６５は、ファイバが斜面３６５の横側からこぼれるのを妨げるために、タブ３６８を含むことができる。好適な実施形態において、斜面３６５は着脱可能である。
【００９９】
上記明細書の記載、実施形態およびデータは、本発明の構成の製造および利用について、完全な記載を与える。本発明の多くの実施形態を、本発明の本質と発明の範囲から逸脱することなく、作ることが可能であるので、本発明の内容は、本願の請求項の記載によるものである。
【図面の簡単な説明】
【０１００】
【図１】受動的光ファイバネットワークを示す図である。
【図２Ａ】前部ドアを含むキャビネットを有するファイバ分配ハブの実施形態の、ドアが閉まった位置にあるときを示す、前からの斜視図である。
【図２Ｂ】前部ドアを含むキャビネットを有するファイバ分配ハブの実施形態の、ドアが開いた位置にあるときを示す、前からの斜視図である。
【図２Ｃ】キャビネットからスイングして出ているスイング・フレームを有する図２Ａのファイバ分配ハブの前からの斜視図である。
【図３】図２Ａのファイバ分配ハブのケーブル配線スキームの例を示す概略図である。
【図４】ファイバ分配ハブから分離された図２Ｃのスイング・フレームの前からの斜視図である。
【図５】図４のスイング・フレームの正面図である。
【図６】図４で示したスイング・フレームの右側の側面図である。
【図７】図４で示したスイング・フレームの上面図である。
【図８Ａ】図２Ａの分配ハブのスプリッタ・モジュールの１つの実施形態を示す図である。
【図９】ストレッジ・モジュールに固定されたコネクタ化端部を含む８つの出力ファイバを有するスプリッタ・モジュールの例を示す図である。
【図１０】スイング・フレームに搭載されたスプリッタ・モジュールからスイング・フレームに搭載するストレッジ・モジュールへの、ケーブルないしファイバの経路の１つの例を表す図である。
【図１１】スイング・フレームに搭載されたスプリッタ・モジュールからスイング・フレームに搭載された終端モジュールへの、ケーブルないしファイバの経路の例を表す図である。
【図１２Ａ】図２Ａの分配ハブの終端モジュールの１つの例の、後ろからの斜視図である。
【図１２Ｂ】図２Ａの分配ハブの終端モジュールの１つの例の、前からの斜視図である。
【図１３】図４のスイング・フレームの後ろからの斜視図である。
【図１４】図４のスイング・フレームの別の側面図である。
【図１５】図４のスイング・フレームの左側面図である。
【図１６】スイング・フレームの後ろ側に搭載されたインターフェース装置とケーブル管理装置の例を含むスイング・フレームの背面図である。
【図１７】スイング・フレーム上のインターフェース装置とケーブル管理装置の構成例を表す後ろからの斜視図である。
【図１８】インターフェース装置およびケーブル管理装置の他の構成例を表す後ろからの斜視図である。
【図１９】インターフェース装置およびケーブル管理装置のさらに別の構成例を表す後ろからの斜視図である。
【図２０】補助コンパートメントまたはケーブル接地インターフェースを収容するためのポケットを有するファイバ分配ハブ・キャビネットの背面図である。
【図２１】キャビネットが開いて、スイング・フレーム回動して出ており、接地インターフェースの接地ピンがキャビネットの主コンパートメントの内部へ突き出ていることを示す、図２０のファイバ分配ハブの正面図である。
【図２２】ファイバ分配ハブの主キャビネットから分離された図２０の補助コンパートメントの斜視図である。
【図２３】図２０の断面線２３-２３に沿っての断面図である。
【図２４】テレコミュニケーション・キャビネットの後方からアクセスすることができる代替補助コンパートメントの一方の側を示す図である。
【図２５】図２４の代替補助コンパートメントの反対側を示す図である。
【図２６】図２４の補助コンパートメントの平面図である。
【図２７】図２６の２７−２７のラインに沿っての断面図である。
【図２８】補助コンパートメント内へ伸び、補助コンパートメントの中で接地ポストに結合している接地ワイヤを有する図２７の断面図である。
【図２９】接地ワイヤのうちの１つは接地ポストと係合していないことが異なる、図２８の横断面図である。
【図３０】代替スイング・フレームの斜視図である。
【図３１】外へ揺動するスイング・フレームを有するさらにもう１つのファイバ分配ハブ（ＦＤＨ）の斜視図である。
【図３２】ＦＤＨの内部を見ることが出来るように、上部パネルとスイング・フレームとを取り除いた図３１のＦＨＤの前からの斜視図である。
【図３３】スイング・フレームを取り除いた図３１のＦＤＨの分解した前からの斜視図である。
【図３５】スイング・フレームから、１つの終端モジュールとフレーム部材とを分解した、図３１のＦＤＨの前からの斜視図である。
【図１】
2009527006.tif 000003
【図２Ａ】
2009527006.tif 000004
【図２Ｂ】
2009527006.tif 000005
【図２Ｃ】
2009527006.tif 000006
【図３】
2009527006.tif 000007
【図４】
2009527006.tif 000008
2009527006.tif 000009
【図６】
2009527006.tif 000010
【図７】
2009527006.tif 000011
【図８Ａ】
2009527006.tif 000012
【図８Ｂ】
2009527006.tif 000013
【図８Ｃ】
2009527006.tif 000014
【図９】
2009527006.tif 000015
【図１０】
2009527006.tif 000016
【図１１】
2009527006.tif 000017
【図１２Ａ】
2009527006.tif 000018
【図１２Ｂ】
2009527006.tif 000019
【図１３】
2009527006.tif 000020
【図１４】
2009527006.tif 000021
【図１５】
2009527006.tif 000022
【図１６】
2009527006.tif 000023
【図１７】
2009527006.tif 000024
【図１８】
2009527006.tif 000025
【図１９】
2009527006.tif 000026
【図２０】
2009527006.tif 000027
【図２１】
2009527006.tif 000028
【図２２】
2009527006.tif 000029
【図２３】
2009527006.tif 000030
【図２４】
2009527006.tif 000031
【図２５】
2009527006.tif 000032
【図２６】
2009527006.tif 000033
【図２７】
2009527006.tif 000034
【図２８】
2009527006.tif 000035
【図２９】
2009527006.tif 000036
【図３０】
2009527006.tif 000037
【図３１】
2009527006.tif 000038
【図３２】
2009527006.tif 000039
【図３３】
2009527006.tif 000040
【図３４】
2009527006.tif 000041
【国際調査報告】
2009527006.tif 000042
2009527006.tif 000043